(57)【要約】【課題】光学素子を含む光学系と、固体撮像素子とを、簡易な構造体を用いて、容易且つ高精度で位置決めでき、小型および高性能な固体撮像装置およびこれを搭載する撮像機器、並びに、固体撮像装置の製造方法を提供する。【解決手段】本発明に係る固体撮像装置１は、第１のレンズ群１４および第１のレンズ群１４を通る光を結像する固体撮像素子６を備える固体撮像装置において、第１のレンズ群１４を保持するバレル１５と、バレル１５の周囲にバレル１５と接合して配置されており、第１のレンズ群１４における光軸方向にバレル１５を摺動することによって、第１のレンズ群１４の位置を調整するアクチュエータ５と、第１のレンズ群１４を固体撮像素子６に対し対向させるようバレル１５を固定するための構造体１３とを備え、第１のレンズ群１４はバレル１５に挟持されている構成である。【選択図】図１
2009098462.tif 000002
【特許請求の範囲】
【請求項１】
第１のレンズおよび第１のレンズを通る光を結像する固体撮像素子を備える固体撮像装置において、
第１のレンズを保持するバレルと、
上記バレルの周囲にバレルと接合して配置されており、上記第１のレンズにおける光軸方向にバレルを摺動することによって、上記第１のレンズの位置を調整する駆動機構と、
第１のレンズを固体撮像素子に対し対向させるようバレルを当接させるための構造体とを備え、
上記第１のレンズはバレルに挟持されていることを特徴とする固体撮像装置。
【請求項２】
第１のレンズおよび第１のレンズを通る光を結像する固体撮像素子を備える固体撮像装置において、
第１のレンズを保持するバレルと、
上記バレルの周囲にバレルと接合して配置されており、上記第１のレンズにおける光軸方向にバレルを摺動することによって、上記第１のレンズの位置を調整する駆動機構と、
第１のレンズを固体撮像素子に対し対向させるよう第１のレンズを当接させるための構造体を備え、
上記第１のレンズは構造体に挟持されていることを特徴とする固体撮像装置。
【請求項３】
上記第１のレンズが複数備えられていることを特徴とする請求項１または２に記載の固体撮像装置。
【請求項４】
上記構造体の形状は、上記第１のレンズと固体撮像素子とが水平に配置されるよう形成されていることを特徴とする請求項１〜３の何れか１項に記載の固体撮像装置。
【請求項５】
上記構造体の形状は、上記第１のレンズの光軸と固体撮像素子の中心とを上記光軸方向に沿って一致させる形状であることを特徴とする請求項１〜４の何れか１項に記載の固体撮像装置。
【請求項６】
上記構造体は、樹脂材料からなることを特徴とする請求項１〜５の何れか１項に記載の固体撮像装置。
【請求項７】
上記構造体の内周部に、第２のレンズを備えることを特徴とする請求項６に記載の固体撮像装置。
【請求項８】
上記構造体は、上記第２のレンズと一体化されていることを特徴とする請求項７に記載の固体撮像装置。
【請求項９】
上記駆動機構は、バレルを摺動する摺動部を有し、
上記バレルは、摺動部と嵌合されていることを特徴とする請求項１〜８の何れか１項に記載の固体撮像装置。
【請求項１０】
上記駆動機構は、コイルおよびマグネットを備えており、
電磁誘導現象によって、バレルを駆動させる構成であることを特徴とする請求項１〜９の何れか１項に記載の固体撮像装置。
【請求項１１】
上記駆動機構は、上記摺動部を光軸方向に変位させると共に、摺動部とバレルとの間に摩擦力を生じさせる構成であることを特徴とする請求項９に記載の固体撮像装置。
【請求項１２】
上記摺動部の一部がバレルに備えられていることを特徴とする請求項１１に記載の固体撮像装置。
【請求項１３】
上記摺動部の一部が、コイルまたはマグネットであることを特徴とするとする請求項１０に記載の固体撮像装置。
【請求項１４】
請求項１〜１３の何れか１項に記載の固体撮像装置を搭載していることを特徴とする撮像機器。
【請求項１５】
第１のレンズおよび第１のレンズを通る光を結像する固体撮像素子を備える固体撮像装置の製造方法において、
固体撮像素子に対向する面に、第１のレンズを固体撮像素子に対し対向させるようバレルを固定するための構造体を形成し、
第１のレンズを保持しているバレルを上記構造体に当接させ、
上記バレルの周囲にバレルと接合するよう、上記第１のレンズにおける光軸方向にバレルを摺動することによって、上記第１のレンズの位置を調整する駆動機構を配置し、
上記第１のレンズはバレルに挟持されていることを特徴とする固体撮像装置の製造方法。
【請求項１６】
第１のレンズおよび第１のレンズを通る光を結像する固体撮像素子を備える固体撮像装置の製造装置において、
固体撮像素子に対向する面に、第１のレンズを固体撮像素子に対し対向させるよう第１のレンズを保持する構造体を形成し、
第１のレンズを上記構造体に当接させ、上記第１のレンズの周囲にバレルを配置し、
上記バレルの周囲にバレルと接合するよう、上記第１のレンズにおける光軸方向にバレルを摺動することによって、上記第１のレンズの位置を調整する駆動機構を配置し、
上記第１のレンズは構造体に挟持されていることを特徴とする固体撮像装置の製造方法。
【発明の詳細な説明】
【技術分野】
【０００１】
本発明は、固体撮像装置およびこれを搭載する撮像機器、並びに、固体撮像装置の製造方法に関するものである。
【背景技術】
【０００２】
従来、レンズからの光を固体撮像素子の受光面で受けて撮像情報を得ることができる固体撮像装置が、デジタルスチルカメラや、カメラ機能を有する携帯電話などの撮像機器および情報機器に用いられている。
【０００３】
中でも携帯電話や小型情報端末に搭載される固体撮像装置は、その筐体における大きさの制限などにより、年々小型化が進められている。更に、近年では、固体撮像素子の高画素化・高機能化が求められており、携帯電話などに搭載される小型カメラにおいても３００万〜５００万画素でオートフォーカスやズーム機能が搭載されたカメラも登場している。このような、小型でかつ高機能な固体撮像装置（カメラモジュール）においては、光学系を構成するレンズ同士の高精度組立てや光学系と固体撮像素子との高精度な位置合わせが必須である。位置合わせのための位置決め部が、正確な形状で形成されていなかったり、位置決め機能を充分に果たすことができなかったりする場合、所望の撮像品位を実現することができない結果となる。
【０００４】
具体的には、固体撮像装置において、レンズからの光を固体撮像素子における所定範囲の受光領域に照射させるとともに、設計された光学性能を十分引き出し、鮮明で片ボケ等のない画像を得るためには、レンズからの光を、撮像面の所定領域に位置精度良く、且つ良好な垂直精度で結像させる必要がある。しかしながら、レンズと撮像面との間に相対位置のズレや光軸のズレがあると、レンズからの光束の位置が撮像面から外れてしまったり、撮像された画のケラレ、アオリを生じたり、片ボケを生じたりする。このような不具合が生じないようにするためには、レンズと固体撮像素子との相対位置や、光軸と撮像面との垂直度を正確に合わせ、且つバックフォーカス（レンズ群のなかで一番撮像面に近い面から撮像面までの距離）を正確に合わせる必要がある。
【０００５】
従来の固体撮像装置として、基板などの素子固定材に固体撮像素子が取付けられている構成を挙げることができる。本構成では、この素子固定材に、レンズが保持されたレンズホルダが、位置調整用のねじで位置調整可能な姿勢で組付けられており、レンズからの光束が固体撮像素子の撮像面に良好に位置決めされ、レンズの光軸と固体撮像素子の撮像面とが垂直となるように、位置調整用のねじを用いて調整される。
【０００６】
具体例として、特許文献１に開示された固体撮像素子は、素子固定材とレンズホルダとの間に介して位置調整用基板が備えられている。この位置調整用基板の素子固定材やレンズホルダに対する取付位置は、位置調整用基板に設けたねじによって調整されるため、レンズと固体撮像素子との相対位置や、レンズの光軸と固体撮像素子の撮像面との垂直精度が調整される。
【０００７】
次に、例えば、特許文献２には、自動焦点機能付き撮像装置における、光学系と撮像系の組立構造に関する固体撮像装置が開示されている。特許文献２では、レンズの焦点位置を調整できる光学構造体と、固体撮像素子を実装した素子基板とを備えた固体撮像装置において、光学構造体と素子基板との間に中間構造体が設けられ、光学構造体および中間構造体の少なくとも一方は、他方の構造体を係止するための係止部を備え、もう一方に、他方の構造体を嵌合するための嵌合部を備えている。この構成によれば容易に固体撮像装置を組立てることができる。
【特許文献１】特開平６−１６７６４４号公報（１９９４年６月１４日公開）
【特許文献２】特開２００７−１１６７４０号公報（２００７年５月１０日公開）
【発明の開示】
【発明が解決しようとする課題】
【０００８】
しかしながら、上記従来の固体撮像装置では、固体撮像素子の固定について不十分であるという問題点を有している。
【０００９】
具体的には、特許文献１の構成では、固体撮像素子と素子固定材との位置規制や、素子固定材とレンズホルダとの位置規制を行わずに、固体撮像素子と素子固定材とレンズホルダとを組付けた後に、位置調整用のねじを調整したり、位置調整用基板の取付位置をねじで調整したりする必要がある等、各撮像ユニット毎に、レンズと固体撮像素子との相対位置や、レンズの光軸と撮像面との垂直精度等を調整している。このため、これらの調整作業を必ず行わなければならないとともに、これらの調整作業に極めて多くの手間や時間がかかるという問題点がある。
【００１０】
また、特許文献２に開示された構成の場合、位置決め構造のうち、一方は光学構造体の駆動機構部材に設けられ、一方は中間構造体に設けられている。したがってレンズ群および固体撮像素子はどちらも相対的に位置決めが行なわれているためレンズ群と固体撮像素子の位置精度が正確に出ているとは言い難い。さらに、レンズ群から固体撮像素子までの高さ方向の距離は、上記位置決め構造では規制できず、組立工程とは別に、撮像しながらレンズ群と固体撮像素子の高さ方向の距離を調整する焦点調整工程が必要であるため、工程数の増加につながっている。
【００１１】
本発明は、上記の問題点に鑑みてなされたものであり、その目的は、光学素子を含む光学系と、固体撮像素子とを、簡易な構造体を用いて、容易且つ高精度で位置決めでき、小型および高性能な固体撮像装置およびこれを搭載する撮像機器、並びに、固体撮像装置の製造方法を提供するものである。
【課題を解決するための手段】
【００１２】
本発明の固体撮像装置は、上記課題を解決するために、第１のレンズおよび第１のレンズを通る光を結像する固体撮像素子を備える固体撮像装置において、第１のレンズを保持するバレルと、上記バレルの周囲にバレルと接合して配置されており、上記第１のレンズにおける光軸方向にバレルを摺動することによって、上記第１のレンズの位置を調整する駆動機構と、第１のレンズを固体撮像素子に対し対向させるようバレルを当接させるための構造体とを備え、上記第１のレンズはバレルに挟持されていることを特徴としている。
【００１３】
上記の発明によれば、第１のレンズはバレルに挟持されており、駆動機構がバレルを摺動することによって、第１のレンズは光軸方向に位置調整されることができる。上記構成によれば、第１のレンズはバレルに挟持されることにより簡便に構成することができ、例えば、ネジ部材によって螺合される必要はない。また、第１のレンズの初期位置は、第１のレンズが上記バレルに挟持され、構造体に当接される状態にて決定されるため、省スペースかつ容易に初期位置を決定することができる。さらに、上記駆動機構によって、バレルが摺動されることによって、第１のレンズが光軸方向に位置調整されることができる。その結果、レンズを含む光学系と、固体撮像素子とを、容易且つ高精度で位置決めでき、小型および高い光学性能を有する固体撮像装置を提供することができる。
【００１４】
また、本発明の固体撮像装置は、上記課題を解決するために、第１のレンズおよび第１のレンズを通る光を結像する固体撮像素子を備える固体撮像装置において、第１のレンズを保持するバレルと、上記バレルの周囲にバレルと接合して配置されており、上記第１のレンズにおける光軸方向にバレルを摺動することによって、上記第１のレンズの位置を調整する駆動機構と、第１のレンズを固体撮像素子に対し対向させるよう第１のレンズを当接させるための構造体を備え、上記第１のレンズは構造体に挟持されていることを特徴としている。
【００１５】
上記の発明によれば、第１のレンズは構造体に挟持されており、駆動機構がバレルを摺動することによって、第１のレンズは光軸方向に位置調整されることができる。上記構成によれば、第１のレンズを構造体に挟持されることにより簡便に配置させることができ、例えば、ネジ部材によって螺合される必要はない。また、第１のレンズの初期位置は、上記構造体に挟持される状態にて決定されるため、省スペースかつ容易に初期位置を決定することができる。さらに、上記駆動機構によって、バレルが摺動されることによって、バレルと接合されている構造体が摺動し、第１のレンズが光軸方向に位置調整されることができる。その結果、レンズを含む光学系と、固体撮像素子とを、容易且つ高精度で位置決めでき、小型および高い光学性能を有する固体撮像装置を提供することができる。
【００１６】
また、本発明に係る固体撮像装置では、上記第１のレンズが複数備えられていることが好ましい。
【００１７】
これにより、さらに種々の結像を行うことができる固体撮像装置を提供することができる。
【００１８】
また、本発明に係る固体撮像装置では、上記構造体の形状は、上記第１のレンズと固体撮像素子とが水平に配置されるよう形成されていることが好ましい。
【００１９】
上記の構成によれば、第１のレンズと、固体撮像素子とが水平であることによって、解像度が高く、片ボケおよびアオリが抑制された光学特性の良好な固体撮像装置を提供することができる。
【００２０】
また、本発明に係る固体撮像装置では、上記構造体の形状は、上記第１のレンズの光軸と固体撮像素子の中心とを上記光軸方向に沿って一致させる形状であることが好ましい。
【００２１】
上記構造体が、固体撮像素子の中心と、第１のレンズに係る光軸の方向とを一致させる形状であることによって、光軸方向における、固体撮像素子と第１のレンズとの配置を固定することができ、光学性能の良好な固体撮像装置を得ることができる。
【００２２】
また、本発明に係る固体撮像装置では、上記構造体は、樹脂材料からなることが好ましい。
【００２３】
上記構成によって、構造体の形状を容易に形成することができる。
【００２４】
また、本発明に係る固体撮像装置では、上記構造体の内周部に、第２のレンズを備えることが好ましい。
【００２５】
上記の構成によって、光学系が２分割された、光学系の高精度な位置調整が可能である固体撮像装置を提供することができる。また、上記構造体の内周部に第２のレンズを配置させることによって、より小型化された固体撮像装置を提供することが可能となる。
【００２６】
また、本発明に係る固体撮像装置では、上記構造体は、上記第２のレンズと一体化されていることが好ましい。
【００２７】
これにより、第２のレンズと構造体とが一体的に製造されることができるため、第２のレンズの初期位置がより精度よく調整可能な構成にすることができ、より光学性能の良好な固体撮像装置を得ることができる。さらに、光学素子と構造体とを同じ金型等によって同時に形成できるため、固体撮像装置の製造工程を簡略化することもできる。
【００２８】
また、本発明に係る固体撮像装置では、上記駆動機構は、バレルを摺動する摺動部を有し、上記バレルは、摺動部と嵌合されていることが好ましい。
【００２９】
上記構成によれば、バレルは摺動部と嵌合されることによって、より強固に固定されることとなるので、バレルを摺動させ易い構成にすることができる。
【００３０】
また、本発明に係る固体撮像装置では、上記駆動機構は、コイルおよびマグネットを備えており、電磁誘導現象によって、バレルを駆動させる構成であることが好ましい。
【００３１】
駆動機構として電磁誘導現象を用いた駆動機構を採用することにより、バレルの周囲に駆動機構を配置し易いため、より簡便に製造可能な固体撮像装置を提供することができる。
【００３２】
また、本発明に係る固体撮像装置では、上記駆動機構は、上記摺動部を光軸方向に変位させると共に、摺動部とバレルとの間に摩擦力を生じさせる構成であることが好ましい。
【００３３】
上記構成の駆動機構、例えば、バイモルフのような駆動機構はバレルの周囲に容易に配置させることが可能であり、さらに簡便に製造可能な固体撮像装置を提供することができる。
【００３４】
また、本発明に係る固体撮像装置では、上記摺動部の一部がバレルに備えられていることが好ましい。
【００３５】
上記構成によって、バレルと駆動機構とを一体的に構成することができ、より小型の固体撮像装置を提供することができる。
【００３６】
また、本発明に係る固体撮像装置では、上記摺動部の一部が、コイルまたはマグネットであることが好ましい。
【００３７】
上記構成により、バレルの周囲に駆動機構を配置させ易く、かつ、小型の固体撮像装置を提供することができる。
【００３８】
また、本発明に係る撮像機器では、上記固体撮像装置を搭載していることが好ましい。
【００３９】
撮像機器が上記固体撮像装置を搭載していることによって、上記固体撮像装置は、簡便に構成することができ、第１のレンズの初期位置は、上記バレルまたは構造体に挟持される状態にて決定されるため、省スペースかつ容易に第１のレンズの初期位置を決定することができる。さらに、上記駆動機構によって、第１のレンズが光軸方向に位置調整されることができる。その結果、レンズを含む光学系と、固体撮像素子とを、容易且つ高精度で位置決めでき、小型および高い光学性能を有する固体撮像装置を備える撮像装置を提供することができる。
【００４０】
また、本発明に係る固体撮像装置の製造方法は、上記課題を解決するために、第１のレンズおよび第１のレンズを通る光を結像する固体撮像素子を備える固体撮像装置の製造方法において、固体撮像素子に対向する面に、第１のレンズを固体撮像素子に対し対向させるようバレルを固定するための構造体を形成し、第１のレンズを保持しているバレルを上記構造体に当接させ、上記バレルの周囲にバレルと接合するよう、上記第１のレンズにおける光軸方向にバレルを摺動することによって、上記第１のレンズの位置を調整する駆動機構を配置し、上記第１のレンズはバレルに挟持されていることを特徴としている。
【００４１】
また、本発明に係る固体撮像装置の製造方法は、上記課題を解決するために、第１のレンズおよび第１のレンズを通る光を結像する固体撮像素子を備える固体撮像装置の製造装置において、固体撮像素子に対向する面に、第１のレンズを固体撮像素子に対し対向させるよう第１のレンズを保持する構造体を形成し、第１のレンズを上記構造体に当接させ、上記第１のレンズの周囲にバレルを配置し、上記バレルの周囲にバレルと接合するよう、上記第１のレンズにおける光軸方向にバレルを摺動することによって、上記第１のレンズの位置を調整する駆動機構を配置し、上記第１のレンズは構造体に挟持されていることを特徴としている。
【００４２】
上記の両製造方法によれば、固体撮像装置を簡便に構成することができ、第１のレンズの初期位置は、上記バレルまたは構造体に挟持される状態にて決定されるため、省スペースかつ容易に初期位置を決定することができ、上記駆動機構によって、第１のレンズが光軸方向に位置調整されることができる。その結果、レンズを含む光学系と、固体撮像素子とを、容易且つ高精度で位置決めでき、小型および高い光学性能を有する固体撮像装置を製造することができる。
【発明の効果】
【００４３】
本発明の固体撮像装置は、以上のように、第１のレンズを保持するバレルと、上記バレルの周囲にバレルと接合して配置されており、上記第１のレンズにおける光軸方向にバレルを摺動することによって、上記第１のレンズの位置を調整する駆動機構と、第１のレンズを固体撮像素子に対し対向させるようバレルを当接させるための構造体とを備え、上記第１のレンズはバレルに挟持されているものである。
【００４４】
また、本発明の固体撮像装置は、以上のように、第１のレンズを保持するバレルと、上記バレルの周囲にバレルと接合して配置されており、上記第１のレンズにおける光軸方向にバレルを摺動することによって、上記第１のレンズの位置を調整する駆動機構と、第１のレンズを固体撮像素子に対し対向させるよう第１のレンズを当接させるための構造体を備え、上記第１のレンズは構造体に挟持されているものである。
【００４５】
それゆえ、第１のレンズの初期位置は、第１のレンズが上記バレルまたは構造体に挟持され、構造体に当接される状態にて決定されるため、省スペースかつ容易に初期位置を決定することができる。さらに、上記駆動機構によって、バレルが摺動されることによって、第１のレンズが光軸方向に位置調整されることができる。その結果、レンズを含む光学系と、固体撮像素子とを、容易且つ高精度で位置決めでき、小型および高い光学性能を有する固体撮像装置を提供することができる。その結果、レンズを含む光学系と、固体撮像素子とを、容易且つ高精度で位置決めでき、小型および高い光学性能を有する固体撮像装置を製造することができるという効果を奏する。
【発明を実施するための最良の形態】
【００４６】
本発明の一実施形態について図１ないし図７に基づいて説明すれば、以下の通りである。なお、以下の説明では、本発明を実施するために技術的に好ましい種々の限定が付されているが、本発明の範囲は以下の実施形態および図面に限定されるものではない。
【００４７】
＜固体撮像装置１＞
図１は、本実施の形態に係る固体撮像装置１を示す断面図である。固体撮像装置１は、例えば、携帯電話機器（携帯情報端末）等に備えることができ、撮像対象物を撮像する目的に用いることができる。固体撮像装置１は、撮像パッケージ２上には第２のレンズ３が備えられており、第２のレンズ（光学素子）３の上方には、さらに光学素子４が備えられている。また、第２のレンズ３および光学素子４の周囲を覆うようにアクチュエータ（駆動機構）５が備えられている。このように、固体撮像装置１は、光学素子が分割され、一部の光学素子である第２のレンズ３が撮像パッケージ２上に固着されている。以下、各構成部材について詳述する。
【００４８】
撮像パッケージ２は、光を受光し、撮像をなす部材であって、基板１０の中心部分に、固体撮像素子ユニット９が備えられており、固体撮像素子ユニット９の周囲は封止樹脂１２にて封止がなされている。一方、基板１０の固体撮像素子ユニット９が備えられている面の反対面における端部には、電極１１が配置されている構成である。
【００４９】
基板１０は、固体撮像素子ユニット９を実装させるための部材である。基板１０の材料としては、例えばセラミックやガラスエポキシを用いることができる。
【００５０】
電極１１は、基板１０における固体撮像素子ユニット９の実装側とは反対側の面に形成されており、固体撮像素子６からの電気信号を外部に送信するための部材である。固体撮像素子６で生成される電気信号は、例えば、ワイヤーボンディングを介して、電極１１に出力される。
【００５１】
基板１０の上面における、透光性蓋部８と固体撮像素子６とで密閉された領域以外の部分は、上記封止樹脂１２によって封止されている。封止樹脂１２は、半導体パッケージ用モールド樹脂等の従来公知の材料から構成することができる。
【００５２】
固体撮像素子ユニット９は、基板１０側に固体撮像素子６が配置され、固体撮像素子６の中央部における第２のレンズ３側には有効画素領域（光受光面）７が設けられている。さらに有効画素領域７の表面には、第２のレンズ３側に面して透光性蓋部８が形成されている。
【００５３】
固体撮像素子６は、基板１０上に短形状に形成されており、第１のレンズを通る光を結像する部材である。固体撮像装置１では、第２のレンズ３が備えられており、第２のレンズ３側からの光を受光して電気信号に変換する。固体撮像装置１においては、固体撮像素子６の中心部が撮像パッケージ２の中心に位置するように設定されている。
【００５４】
固体撮像素子６は、具体的には、ＣＣＤもしくはＣＭＯＳイメージセンサーを用いて構成することができる。有効画素領域７は、固体撮像素子６に形成されており、実際に光を受光可能な領域である。
【００５５】
透光性蓋部８は、固体撮像素子ユニット９の透光性蓋部８は、外部の湿気、ダスト（ゴミ、切りくず）などから有効画素領域を保護するための部材であり、有効画素領域７を覆うよう配置されている。透光性蓋部８の材料として、具体的にはガラスなどの材料を用いることができる。透光性蓋部８には、その片面またはその両面に、必要に応じて機能性膜が設けられていてもよい。機能性膜としては、反射防止（ＡＲ：anti-reflection）コート膜や赤外線（ＩＲ）カット膜等が挙げられるが、これに限定されるものではなく、固体撮像素子６に入射する光に対して何らかの作用を及ぼす従来公知の機能性膜を採用することができる。
【００５６】
以上のような構成を備えた撮像パッケージ２における、透光性蓋部８と、封止樹脂１２とによって形成される面（以下、この面を「撮像パッケージ２の上面」と称する）には、図１に示すように、第２のレンズ３が形成されている。第２のレンズ３は、光学素子４と固体撮像素子６とが対向する面に備えられている。
【００５７】
第２のレンズ３は、主に固体撮像素子６への光の入射角を緩和し、周辺部の光量不足を改善する役割を有しているが、必要に応じて、光学系として結像の一端を担う構造としてもよい。第２のレンズ３は必須の構成ではないが、上記の役割を担うことができ、光学系が２分割された、光学系の高精度な位置調整が可能である固体撮像装置を提供することができるため、固体撮像装置１に備えられていることが好ましい。
【００５８】
固体撮像装置１では、第２のレンズ３として平凸レンズが備えられており、この平凸レンズのうち円形の凸レンズ側が、光学素子４側に面している。また、第２のレンズ３としては、平凸レンズに限定されるものではなく、平凹レンズを採用してもよい。
【００５９】
第２のレンズ３はレンズとして構成されるため、その材料としては、例えば、透光性を有するガラス、樹脂などを用いることができる。
【００６０】
第２のレンズ３の外周部には、光学素子４と、上記撮像パッケージ２との位置決めを行うために設けられた構造体１３が形成されている。固体撮像装置１におけるように、構造体１３は第２のレンズ３の周囲に形成されており、さらに第２のレンズ３と一体として形成されていることが好ましい。構造体１３は、光学素子４に含まれるバレル１５の土台となる部材である。
【００６１】
上記のように、第２のレンズ３の周囲に構造体１３が形成されている構成であることによって、より小型化された固体撮像装置１を提供することができる。また、構造体１３と第２のレンズ３とが一体化されていることによって、構造体１３と第２のレンズ３とを同じ金型等によって同時に形成できるため、一体的に製造することができ、固体撮像装置の製造工程を簡略化することができる。
【００６２】
構造体１３はバレル１５とともに、その形状によって、光学素子４の位置調整をなす部材として機能する。固体撮像装置１において、構造体１３はその端部にかけて傾斜が高くなる形状となっている。
【００６３】
＜光学素子４＞
光学素子４は、第１のレンズ群（第１のレンズ）１４と、第１のレンズ群１４を保持するためのバレル１５によって構成されている。
【００６４】
光学素子４は、複数のレンズを備えており、固体撮像装置１においては、両凸レンズが２枚備えられている。用いるレンズの種類および枚数については、固体撮像装置１の構成に応じて適宜変更すればよく、例えば、枚数が１枚であってもよいが、複数枚備えられていることによって、固体撮像装置１によって、さらに種々の結像を行うことできるため好ましい。
【００６５】
バレル１５は、第１のレンズ群１４を保持するために備えられており、第１のレンズ群１４のコバ部（外周部）は、バレル１５によって挟持されている。さらに、バレル１５は、構造体１３に設けられた傾斜部分と当接する形状となっている。
【００６６】
上記のように構造体１３およびバレル１５が当接することによって、固定されるので、光学素子４は構造体１３に設置されることができ、光学素子４および第２のレンズ３、さらには、光学素子４および固体撮像素子６の中心及び高さの関係を設定することができる。
【００６７】
このような構成によれば、第１のレンズ群１４はバレル１５に挟持されることにより簡便に構成することができ、例えば、ネジ部材によって螺合される必要はない。また、固体撮像装置１が製造された時点における、第１のレンズ群１４の初期位置は、バレル１５に挟持される状態にて決定されるため、省スペースかつ容易に初期位置を決定することができる。
【００６８】
また、固体撮像装置１においては、構造体１３の形状は、上記第１のレンズと固体撮像素子とが水平に配置されるよう形成されているため、第１のレンズ群１４と有効画素領域７とが水平に配置されている。構造体１３が上記のような形状であることで、第１のレンズ群１４と有効画素領域７とが水平である配置であれば、解像度が高く、片ボケおよびアオリが抑制された光学性能の良好な固体撮像装置１を提供することができるという利点がある。
【００６９】
また、第１のレンズ群１４に係る初期位置の調整に寄与する部材である構造体１３の形状は、固体撮像素子６の中心と、第１のレンズ群１４の光軸とが、上記光軸方向に沿って一致させる形状であることが好ましい。上記形状であることによって、光軸方向における固体撮像素子６および第１のレンズ群１４との方向を一致させることができ、さらに光学性能の良好な固体撮像装置を得ることができる。
【００７０】
なお、構造体１３およびバレル１５は、互いに当接する形状あり、第１のレンズ群を固体撮像素子６に対し初期位置に設定することができる形状であればよく、特に限定されるものではない。
【００７１】
光学素子４の外周には、アクチュエータ５が搭載されている。アクチュエータ５は、光学素子４を光軸方向に駆動させるために搭載されている。アクチュエータ５よって、光学素子のレンズ焦点距離を変化させることができ、あらゆる距離の被写体にピントを合わせることが可能である。これによって、固体撮像装置１は、オートフォーカス機能を備えることができる。オートフォーカスの方式としては、アクティブ方式またはパッシブ方式などの公知の方式を採用することができる。
【００７２】
アクチュエータ５としては、従来公知のアクチュエータを用いることができ、例えば、ボイスコイルモーター（ＶＣＭ）、圧電素子、ステッピングモーター等の機構を用いることができる。ボイスコイルモーターはコイル、マグネット等からなり、電磁誘導現象を利用して駆動を行う部材である。上記のコイルおよびマグネット等からなる電磁誘導現象を用いた駆動機構によれば、バレル１５の周囲に駆動機構を配置し易いため、より簡便に製造可能な固体撮像装置を提供することができる。
【００７３】
また、圧電素子は、摩擦による摺動によって駆動を行う部材である。具体的にはバイモルフを挙げることができる。上記の圧電素子のように、上記摺動部を光軸方向に変位させると共に、摺動部とバレルとの間に摩擦力を生じさせる構成であれば、バレルの周囲に容易に配置させることが可能であり、さらに簡便に製造可能な固体撮像装置を提供することができる。
【００７４】
また、ステッピングモーターはモーターを回転させることでカムを駆動させる機構である。
【００７５】
アクチュエータ５には、電気信号によって駆動する駆動部と、駆動しない非駆動部とが備えられている。駆動部は、光学素子４を駆動させるため、バレル１５の周辺に配置されており、バレル１５を介して光学素子４と接合されている。一方、非駆動部は撮像パッケージ２の上面に固定されている。
【００７６】
固体撮像装置１においては、アクチュエータ５の駆動部とバレル１５とを嵌合させ、さらに接着剤等が用いられ接合がなされている。接合の方法については、上記の方法に限定されるものではなく、アクチュエータ５とバレル１５との間に間隙を設け、その間隙に接着剤等を注入し固定することによって、接合を行うこともできる。何れの方法で接合を行うかは、用いるアクチュエータ５の構成によって、適宜変更すればよい。
【００７７】
アクチュエータ５およびバレル１５の接合面は、アクチュエータ５およびバレル１５の平面同士が接着剤等によって接合されていてもよいが、上記のように、アクチュエータ５の駆動部とバレル１５とが嵌合されていることが好ましい。すなわち、アクチュエータ５とバレル１５とが契合する形状となっていることによって、両部材を強固に契合することができる。なお、アクチュエータ５およびバレル１５とを螺合することは好ましくない。アクチュエータ５およびバレル１５にネジ形状を設けた場合、ネジ形状部分に大きなスペースを割くこととなり、固体撮像装置が大型化する結果となるからである。
【００７８】
従来、オートフォーカス機能付きの固体撮像装置（カメラモジュール）の製造工程において、まず、アクチュエータ内径およびレンズユニット（光学素子）外径にネジ形状を設けていた。その後、レンズユニットをアクチュエータにねじ込み、これを自動搭載機により光学系と撮像素子の中心位置合わせを行いながら、撮像パッケージ上面に搭載した後、撮像チャートを撮影しながらレンズユニットのねじ込み高さの調整により、光学系の初期位置を決定していた。光学系の初期位置は通常、無限遠にピントが合う位置とされることが一般的である。
【００７９】
上記従来の固体撮像装置に対し、本実施形態では、構造体１３と光学素子４は、構造体１３とバレル１５とが当接することにより、固体撮像素子と光学系の中心および初期位置の高さを規定している。したがって、自動搭載機による光学系と撮像素子の中心位置合わせを必要とせず、また、撮像による光学系の高さ方向の調整を行う必要が無いため、工程数および組立時間を削減することが可能である。
【００８０】
本実施の形態では、構造体１３と光学素子４のバレル１５が当接することにより組立てる構造としているが、より位置精度よく組立てるために光学素子４に含まれる第１のレンズ群１４のコバ部（外周部）と構造体１３とが当接する構造としてもよい。
【００８１】
光学素子４はアクチュエータ５によって、光軸方向において駆動するため、その都度、構造体１３と光学素子４は接触することになる。第１のレンズ群１４と構造体１３とが接触した場合であっても、第１のレンズ群１４の摺動が妨げられることを抑制できるので、構造体１３は摺動性の高い材料によって構成されていることが好ましい。摺動性が高い材料とは、摩擦係数が小さい材料が挙げられ、構造体１３は摩擦係数の小さな材料によって構成されていることが好ましい。
【００８２】
また、固体撮像装置１の構造では、従来のように光学素子４およびアクチュエータ５をネジ形状とする必要がないため、これまでネジ部分として使用していた空間を他の目的で利用することができる。具体的には光学素子４に含まれるレンズの外形やレンズコバを拡大することができ、光学性能の向上や設計の自由度の向上が見込まれる。あるいは、空いた空間分を縮小してカメラモジュール外形サイズの小型化を実現することができる。
【００８３】
固体撮像装置１においては、第１のレンズ群１４は、バレル１５に挟持されている構成となっているが、他の固体撮像装置の構成として、第１のレンズ群１４が構造体１３に挟持されている構成とすることもできる。この場合、構造体１３の周囲にはバレル１５が配置されることこととなり、その他の部材の構成については、固体撮像装置１の構成と同様である。図２は、第１のレンズ群１４が構造体１３に挟持されている構成を有する固体撮像装置１ａを示す断面図である。
【００８４】
同図に示す構成によれば、第１のレンズ群１４が構造体１３に保持される構成とできる。第１のレンズ群１４の一方は構造体１３に挟持されており、アクチュエータ５がバレル１５を摺動することによって、構造体１３が摺動し、第１のレンズ群１４は光軸方向に位置調整されることができる。上記構成によれば、第１のレンズ群１４は構造体１３に挟持されることにより簡便に構成することができ、例えば、ネジ部材によって螺合される必要はない。また、第１のレンズ群１４の初期位置は、構造体１３に挟持される状態にて決定されるため、省スペースかつ容易に初期位置を決定することができる。さらに、アクチュエータ５によって、バレル１５が摺動されることによって、第１のレンズ群１４が光軸方向に位置調整されることができる。その結果、レンズを含む光学系と、固体撮像素子６とを、容易且つ高精度で位置決めでき、小型および高い光学性能を有する固体撮像装置を提供することができる。
【００８５】
さらに、本構成によれば、構造体１３によって第１のレンズ群１４が挟持されているため、バレル１５によって挟持されている構成に比べ、より組立精度を向上させることができる。
【００８６】
＜固体撮像装置１の製造方法＞
固体撮像装置１の製造方法について、図３を用いて説明する。同図は撮像パッケージ２の上面に第２のレンズ３および位置決めのための構造体１３を形成した固体撮像装置１の製造過程を示す装置の断面図である。第２のレンズ３および構造体１３は、透明なガラスまたは樹脂で形成される。例えば紫外線硬化樹脂を用いた場合、金型を用いて直接撮像パッケージ２の上面に形成することができる。
【００８７】
第２のレンズ３および構造体１３は、第１のレンズ群１４と固体撮像素子６とが配置される間の位置であり、かつ、撮像パッケージ２上に第１のレンズ群１４の外周部と対向する位置に形成される。
【００８８】
図４は、図３に示す装置に、光学素子４が固定された状態を示す断面図である。図４に示すように、さらに光学素子４が取付けられるが、光学素子４の取付けは、構造体１３と光学素子４に形成された形状とが当接することにより搭載される。第１のレンズ群１４はバレル１５に挟持された状態にて固定される。
【００８９】
最後に、図５は図４に示す装置に、アクチュエータ５が取付けられた状態を示す断面図である。図５に示すように、バレル１５に接合するようアクチュエータ５の摺動部がバレル１５と嵌合され、固定される。アクチュエータ５の固定部は撮像パッケージ２上に接着剤等で搭載される。
【００９０】
また、他の固体撮像装置の構成として、第１のレンズ群１４が構造体１３によって挟持された固体撮像装置１ａを製造する場合には、上記の固体撮像装置１を製造する場合と同様に、第２のレンズ３および構造体１３は、第１のレンズ群１４と固体撮像素子６とが配置される間の位置であり、かつ、撮像パッケージ２上に第１のレンズ群１４の外周部と対向する位置に形成される。
【００９１】
次に、第１のレンズ群１４のうち、一方のレンズが構造体１３に挟持されるよう取付けられる。さらに、第１のレンズ群１４のうち他方のレンズが備えられたバレル１５が、先に備えられた第１のレンズ郡１４のレンズに当接するよう配置される。
【００９２】
最後に、図５に示すように、バレル１５に接合するようアクチュエータ５の摺動部が光学素子４と嵌合され、固定される。アクチュエータ５の固定部は撮像パッケージ２上に接着剤等で搭載される。
【００９３】
＜アクチュエータの具体例１＞
光学素子４を駆動するアクチュエータ５としてボイスコイルモーター（駆動機構）５ａを用いた場合の具体例について図６に基づいて説明する。図６は、ボイスコイルモーター５ａを備える固体撮像装置１ｂを示す断面図である。
【００９４】
まず、ボイスコイルモーター５ａの各構成部材について説明する。ボイスコイルモーター５ａは、封止樹脂１２上に設置されたベース２０にマグネット１９が設置されており、マグネット１９の表面にはヨーク１８が固定されている。ヨーク１８と対向し、バレル１５と接するようホルダー（摺動部）１６が配置されており、ベース２０の上部およびホルダー１６の上部には板バネが配置され、ベース２０およびホルダー１６を連結させている。ホルダー１６には、ヨーク１８と対向する位置にコイル１７が配置されている。ヨーク１８は、マグネット１９およびコイル１７を覆うための部材である。
【００９５】
ホルダー１６は、光学素子４を保持する部材であり、公知の樹脂材料で形成される。ヨーク１８は鉄板などの磁性体で構成されていればよい。
【００９６】
上記構成により、コイル１７に電流を印加すると、電磁誘導現象によりコイル１７およびコイル１７が固定されたホルダー１６に対して上下方向（光軸方向）に推力が発生することとなる。
【００９７】
ボイスコイルモーター５ａにおいて、コイル１７は板バネ２１によって固体撮像素子ユニット９側に一定の力（予圧）が加えられており、印加した電流量に比例してコイル１７の変位量がコントロールされる。固体撮像装置１ｂの構成によれば、アクチュエータとして電磁誘導現象を用いたボイスコイルモーター５ａを採用することにより、バレル１５の周辺にボイスコイルモーター５ａを配置し易いため、固体撮像装置１ｂは、より簡便に製造されることができる。
【００９８】
固体撮像装置１ｂが製造される際には、前述したように撮像パッケージ２の上面に第２のレンズ３が形成されたのち、光学素子４が構造体１３に当接して搭載される。その後、ボイスコイルモーター５ａが挿入され、光学素子４周囲のバレル１５とボイスコイルモーター５ａの駆動部であるホルダー１６とが接着剤により固定される。なお、ホルダー１６には、コイル１７が固定される。さらに、撮像パッケージ２とボイスコイルモーター５ａの非駆動部であるベース２０は接着剤で封止樹脂１２に固定される。
【００９９】
（アクチュエータの具体例２）
アクチュエータ５の他の具体例として、アクチュエータ５の一部とバレル１５とが一体構造になっているボイスコイルモーター（駆動機構）５ｂを備える固体撮像装置１ｃについて図７に基づいて説明する。同図は、固体撮像装置１ｃを示す断面図である。
【０１００】
固体撮像装置１ｃのボイスコイルモーター５ｂは、上述したボイスコイルモーター５ａと近似する構成であるが、ボイスコイルモーター５ａとは異なり、ホルダー１６が備えられておらず、板バネ２１が直接バレル１５に接続されている。
【０１０１】
具体的には光学素子４に含まれるバレル１５の外周部にコイル１７が接着される構成となっている。バレル１５の外周部にヨーク１８、マグネット１９、ベース２０からなるボイスコイルモーター５ｂが搭載されている。最上部には板バネが配置され、その一端がバレル１５、もう一端がベース２０に接着されている。
【０１０２】
固体撮像装置１ｃの製造方法は、上述した固体撮像装置１の製造方法に準拠する。すなわち、まず、撮像パッケージ２の上面に第２のレンズ３と構造体１３とが固着される。この構造体１３と当接するように外周にコイル１７が接着された光学素子４が取付けられる。さらにその外周にボイスコイルモーター５ｂの部材が取付けられる。最後に固体撮像装置１ｃの上面に板バネが配置され、一端が光学素子４のバレル１５にもう一端がボイスコイルモーター５ｂのベース２０に接着され、組立てが完了する。このような構成とすることによって、ホルダー１６が不要となり、より小型化された固体撮像装置１ｃを得ることができる。
【０１０３】
上述したように、固体撮像装置におけるアクチュエータと、固体撮像素子（センサー）および光学素子とは、これまで、それぞれの外周部でネジなどの止め部等により固定されていた。しかし、固体撮像装置の小型化、薄型化、高性能化に伴い、組立精度も要求されている。本発明は、組立調整をできるだけ少なくする構成の1つであり、アクチュエータで摺動する光学素子と固体撮像素子との組立精度を簡便な構造体で行い、その後、光学素子の外周にアクチュエータを固定することで、組立精度も確保している。
【０１０４】
ここでは、主にボイスコイルモーター方式のアクチュエータを備える固体撮像装置について説明したが、本実施の形態の範囲内において、他の方式のアクチュエータを用いることによっても、小型で高性能の個体撮像装置を得ることができる。
【０１０５】
なお、本発明は、上述した各実施形態に限定されるものではなく、請求項に示した範囲で種々の変更が可能であり、異なる実施形態にそれぞれ開示された技術的手段を適宜、組合わせて得られる実施形態についても本発明の技術的範囲に含まれる。
【産業上の利用可能性】
【０１０６】
本発明は、固体撮像装置およびこれを備える撮像機器を用いる分野において広く応用することができる。具体的には、デジタルスチルカメラや、カメラ機能を有する携帯電話などの撮像機器および情報機器に応用することができる。
【図面の簡単な説明】
【０１０７】
【図１】本実施の形態に係る固体撮像装置の一実施形態を示す断面図である。
【図２】本実施の形態に係る固体撮像装置の他の実施形態を示す断面図である。
【図３】本実施の形態に係る固体撮像装置の製造過程を示す断面図である。
【図４】本実施の形態に係る固体撮像装置の製造過程を示す断面図である。
【図５】本実施の形態に係る固体撮像装置の製造過程を示す断面図である。
【図６】本実施の形態に係る固体撮像装置の一実施形態を示す断面図である。
【図７】本実施の形態に係る固体撮像装置の一実施形態を示す断面図である。
【符号の説明】
【０１０８】
１・１ａ・１ｂ・１ｃ    固体撮像装置
２    撮像パッケージ
３    第２のレンズ
４    光学素子
５    アクチュエータ（駆動機構）
５ａ  ボイスコイルモーター（駆動機構）
５ｂ  ボイスコイルモーター（駆動機構）
６    固体撮像素子
７    有効画素領域（光受光面）
８    透光性蓋部
９    固体撮像素子ユニット
１０  基板
１１  電極
１２  封止樹脂
１３  構造体
１４  第１のレンズ群（第１のレンズ）
１５  バレル
１６  ホルダー
１７  コイル
１８  ヨーク
１９  マグネット
２０  ベース
２１  板バネ
【図１】
2009098462.tif 000003
【図２】
2009098462.tif 000004
【図３】
2009098462.tif 000005
【図４】
2009098462.tif 000006
【図５】
2009098462.tif 000007
【図６】
2009098462.tif 000008
【図７】
2009098462.tif 000009